(57)【特許請求の範囲】
【請求項１】
ハーネスに被せる保護カバー；該ハーネスの横ずれを規制する縦アーム、および、前記保護カバーの縦移動を規制する部材、を含み、前記ハーネスに被せた前記保護カバーを該ハーネスとともに保持するためのクランパ；および、前記保護カバーにあって前記縦アームが係合する切欠；を含むハーネス保護装置。
【請求項２】
前記保護カバーは、透明または半透明の透光材である；請求項１記載のハーネス保護装置。
【請求項３】
前記クランパは、横に伸びてハーネスを支える下梁を有し；前記縦アームは、該下梁の両端に連続して縦に起立する１対であり；前記縦移動を規制する部材は、一方の縦アームに連続して前記下梁との間にハーネス受け入れ空間を置いて他方の縦アームに及ぶ長さを有して、先端が該他方の縦アームに近づく方向およびその逆の方向に移動するように倒伏／起立が可能であり；前記縦移動を規制する部材の前記先端と前記他方の縦アームに、両者の結合を維持するための係止手段がある；請求項１記載のハーネス保護装置。
【請求項４】
前記縦移動を規制する部材は、前記下梁および一対の前記縦アームとともに、ハーネスと保護カバーの切欠がある箇所のハーネス覆い部分とを一緒にして包囲する；請求項３記載のハーネス保護装置。
【請求項５】
水平上壁，その両側縁に連続し垂直に立った一対の垂直側壁，各垂直側壁に連続して水平に伸びる一対の水平張出し壁および各水平張出し壁を貫通した一対の切欠を有し、前記水平上壁および一対の垂直側壁でハーネスを保護したカバー；および、
前記ハーネスを下支持した下梁，その一端に連続して起立して前記切欠の一方を貫通した第１縦アーム，これに折り曲げ可能に連続して前記下梁に、それとの間に前記ハーネスおよびカバーを置いて、対向する上梁，前記下梁の他端に連続して起立しそれに前記上梁の先端が結合した第２縦アーム、および、前記上梁の先端と第２縦アームの結合を維持するための係止手段、を有するクランパ；
を備えるハーネス保護装置。
【発明の詳細な説明】
【０００１】
【発明の属する技術分野】
本発明は、配設したハーネス（電力ケーブル，通信ケーブル，電気コード，電気リード，光ファイバケーブル、光ファイバコード，各種用途のホース，パイプ，チューブなど）を保護する保護具に関し、特に、これに限定する意図ではないが、電力あるいは電気信号を通電するハーネスに異物が当たるのを防止する保護装置に関する。
【０００２】
【従来技術】
例えば画像形成装置などの電子機器に設けられたハーネスは設置場所や組付け状態によっては、たるみが発生しやすい。また、機器の外装の隙間などから異物，特に導電性のものが落下付着したさいにはハーネスへ傷、また、他の電子機器との接触により、回路の短絡により故障が発生する。大きな電流が流れている基板の場合には最悪、発煙発火にいたり安全上重大な問題となる。これらの問題を避けるために、ハーネスを覆ってたるみを規制するガード部材を設けることはひろく一般的に行われている。
【０００３】
図３に、ハーネス保護の従来の代表的な２例を示す。図３の（ａ）に示す態様は、ハーネス１の上方に金属製の押さえカバー２を配置してそのねじ通し穴３に図示しないビスを通してそれをハーネス配設面５に開けたねじ穴４にねじ込むものである。図３の（ｂ）に示す態様は、押さえカバー２の下面に貼り付けた両面テープ６で、押さえカバー２をハーネス配設面５に貼り付ける。
【０００４】
【発明が解決しようとする課題】
ハーネス交換時などには、押さえカバー２を、ドライバーを使用して取り外さなければならず保守時間の増加を招く。あるいは、両面テープを剥がすことになり、両面テープを綺麗に剥がすのが難しい場合もあり、保守コストの増加にもつながる。
【０００５】
また、従来の例によれば金属製または樹脂製の押さえ部材２を用いているため、取付後は押さえ部材２の中のハーネス１の取り付け状態（捩れ，曲がり）の確認が困難になる。
【０００６】
本発明は、ハーネス保護カバーの取り付けおよび取り外しを簡易にすることを第１の目的とし、保護カバー内のハーネスの状態の視認確認を容易にすることを第２の目的とする。
【０００７】
【課題を解決するための手段】
（１）ハーネス(1)に被せる保護カバー(10)；該ハーネス(1)の横ずれを規制する縦アーム(24,27)、および、前記保護カバー(10)の縦移動を規制する部材(25)、を含み、前記ハーネスに被せた前記保護カバー(10)を該ハーネス(1)とともに保持するためのクランパ(20)；および、前記保護カバー(10)にあって前記縦アーム(24,27)が係合する切欠(16,17)；を含むハーネス保護装置。
【０００８】
なお、理解を容易にするために括弧内には、図面に示し後述する実施例の対応要素の記号を、参考までに付記した。以下も同様である。
【０００９】
これによれば、保護カバー(10)をハーネス(1)とともにクランパ(20)で保持しているので、ハーネス(1)のたるみを押さえ，ネジ等の締結具が不要であり固定のための工数が低減でき、安価な構成で安全性を確保できる。
【００１０】
保護カバー(10)の切欠(16,17)がクランパ(20)と嵌合しているので、保護カバー(10)の移動を規制しているため、クランパ (20)と切欠(16,17)の寸法を管理するだけで保護カバー(10)が移動することがない。
【００１１】
【発明の実施の形態】
（２）前記保護カバー(10)は、透明または半透明の透光材である；上記（１）に記載のハーネス保護装置。これによれば、保護カバー(10)が透明または半透明であるので、装着後もハーネス(1)の状態を視認することができる。
【００１２】
（３）前記クランパ(20)は、横に伸びてハーネス(1)を支える下梁(23)を有し；前記縦アーム(24,27)は、該下梁(23)の両端に連続して縦に起立する１対であり；前記縦移動を規制する部材(25)は、一方の縦アーム(24)に連続して前記下梁(23)との間にハーネス受け入れ空間を置いて他方の縦アーム(27)に及ぶ長さを有して、先端(26)が該他方の縦アーム(27)に近づく方向およびその逆の方向に移動するように倒伏／起立が可能であり；前記縦移動を規制する部材(25)の前記先端(26)と前記他方の縦アーム(27)に、両者の結合を維持するための係止手段(28,29)がある；上記（１）に記載のハーネス保護装置。
【００１３】
これによれば、クランパ(20)に係止手段(28,29)を具備しているので、クランパ(20)に対してハーネス(1)および保護カバー(10)の着脱が容易で保守効率を向上することができる。
【００１４】
（４）前記縦移動を規制する部材(25)は、前記下梁(23)および一対の前記縦アーム(24,27)とともに、ハーネス(1)と保護カバー(10)の切欠(16,17)がある箇所のハーネス覆い部分とを一緒にして包囲する；上記（３）に記載のハーネス保護装置。これによれば、クランパ(20)がハーネス(1)と保護カバー(10)を一緒に抱き抱えるので、ハーネス(1)と保護カバー(10)との相対位置ずれを生じない。
【００１５】
（５）水平上壁(11)，その両側縁に連続し垂直に立った一対の垂直側壁(12,13)，各垂直側壁(12,13)に連続して水平に伸びる一対の水平張出し壁(14,15)および各水平張出し壁(14,15)を貫通した一対の切欠(16,17)を有し、前記水平上壁(11)および一対の垂直側壁(12,13)でハーネス(1)を保護したカバー(10)；および、
前記ハーネス(1)を下支持した下梁(23)，その一端に連続して起立して前記切欠(16,17)の一方を貫通した第１縦アーム(24)，これに折り曲げ可能に連続して前記下梁(23)に、それとの間に前記ハーネス(1)およびカバー(10)を置いて、対向する上梁(25)，前記下梁(23)の他端に連続して起立しそれに前記上梁(25)の先端が結合した第２縦アーム(27)、および、前記上梁(25)の先端(26)と第２縦アーム(27)の結合を維持するための係止手段(28,29)、を有するクランパ(20)；
を備えるハーネス保護装置。これによれば、上記（１）から（４）に記述した作用効果が得られる。
【００１６】
本発明の他の目的および特徴は、図面を参照した以下の実施例により明らかになろう。
【００１７】
【実施例】
図１に、本発明の一実施例を示し、図１の（ａ）は、押さえ部材である保護カバー１０の外観を示す。保護カバー１０は、色付きの透明な合成樹脂で作られており、横断面が凸型であり、水平上壁１１，その両側縁に連続し垂直に立った一対の垂直側壁１２，１３，各垂直側壁１２，１３に連続して水平に伸びる一対の水平張出し壁１４，１５および各水平張出し壁１４，１５を貫通した一対の切欠１６，１７を有する。
【００１８】
図１の（ｂ）には、クランプ部材であるクランパ２０の外観を示す。このクランパ２０は、ハーネス（１）を下支持するための下梁２３，その一端に連続して起立して前記保護カバー１０の切欠１６，１７の一方を貫通した第１縦アーム２４，これに折り曲げ可能に連続して下梁２３に、それとの間にハーネス（１）および保護カバー１０を置いて対向する上梁２５，下梁２３の他端に連続して起立しそれに上梁２５の先端が結合しうる第２縦アーム２７、および、上梁２５の先端２６と第２縦アーム２７の結合を維持するための係止手段を構成する横断面が楔形の係合溝２８とそれに嵌りこむ係合爪２９、を有する。下梁２３に連続する脚２２には足２１が連続しており、この足２１の裏に、両面接着片３０，３１が貼り付けられている。
【００１９】
上梁２５の先端２６を第２縦アーム２７に当てるように押し下げると、第２縦アーム２７の係合溝２８に上梁２５の係合爪２９が嵌りこんで、図１の（ｃ）に示すように、下梁２３，第１縦アーム２４，上梁２５および第２縦アーム２７が連続して閉ループを形成し、上梁２５の先端２６と第２縦アーム２７の結合が維持される。
【００２０】
ハーネスを保護する時には、図１の（ｂ）に示すようにクランパ２０の上梁２５の先端２６が第２縦アーム２７から離れた、ループが開いた状態で、図１の（ｄ）に示すように、開きにハーネス１を受け入れ、クランパ２０の位置を調整してから、両面接着片３０，３１の剥離紙を剥ぎ取って、クランパ２０の両面接着片３０，３１を電子機器のハーネス対抗面に貼り付ける。そして保護カバー１０も、上梁２５の先端２６と第２縦アーム２７との間に挿入して、図２の（ａ）に示すように、保護カバー１０の切欠１６，１７に、クランパ２０の第２縦アーム２７および第１縦アーム２４を受け入れる。次に、上梁２５の先端２６を第２縦アーム２７に当てるように押し下げる。これにより、第２縦アーム２７の係合溝２８に上梁２５の係合爪２９が嵌りこんで、図２の（ｂ）に示すように、下梁２３，第１縦アーム２４，上梁２５および第２縦アーム２７が連続した、ハーネス１および保護カバー１０を縛るように周回する閉ループが形成され、上梁２５の先端２６と第２縦アーム２７の結合が維持される。
【００２１】
保護カバー１０を外す時には、第１縦アーム２４および第２縦アーム２７を、それらの間のハーネスおよび保護カバー収容空間を狭めるように倒せばよい。こうすると、第２縦アーム２７が内側にずれ上梁２５外側にずれて係合爪２９が係合溝２８から外れて、上梁２５が上跳ねして図２の（ａ）に示すように開く。この状態で保護カバー１０を交換すればよい。
【図面の簡単な説明】
【図１】  （ａ）は本発明の一実施例で用いられる保護カバー１０の外観を示す斜視図、（ｂ）は該保護カバーとともに用いられるクランパ２０の斜視図である。（ｃ）は、クランパ２０の、上梁２５を第２縦アーム２７に係止した状態を示す斜視図、（ｄ）は電子機器のハーネス１を保護するために電子機器に保護カバー１０を取り付けるときの、一作業工程を示す斜視図である。
【図２】  （ａ）は、次の作業工程を示す斜視図であり、（ｂ）は、取り付けを終えた状態を示す斜視図である。
【図３】  （ａ）は従来の一態様の押さえ板とりつけ工程を示す斜視図であり、（ｂ）は従来のもう１つの態様の押さえ板とりつけ工程を示す斜視図である。
【符号の説明】
１：ハーネス            ２：押さえ板
３：通し穴              ４：ねじ穴
５：ハーネス配設面      ６：両面接着テープ
１０：保護カバー        １１：水平上壁
１２，１３：垂直側壁    １４，１５：水平張出し壁
１６，１７：切欠        ２０：クランパ
２１：足                ２３：下梁
２４：第１縦アーム      ２５：上梁
２６：先端              ２７：第２縦アーム
２８：係合溝            ２９：係合爪
３０，３１：両面接着片
【図１】
0004076199.tif 000002
【図２】
0004076199.tif 000003
【図３】
0004076199.tif 000004